(57)【要約】【課題】  苗マットが苗載部の途中で止まることを抑制することができる苗載装置を提供する。【解決手段】  苗載装置は、苗マットが載せられる苗載部と、苗載部の下方側に向けて移動する苗マットを案内するために、上下方向に沿って延びる一対の案内部と、を備え、一対の案内部は、互いの間で苗マットが移動する移動路を形成するために、横方向に離れて配置され、移動路の横方向寸法は、下方側に向けて小さい。【選択図】  図４
2019083718.tif 000002
【特許請求の範囲】
【請求項１】
苗マットが載せられる苗載部と、
前記苗載部の下方側に向けて移動する前記苗マットを案内するために、上下方向に沿って延びる一対の案内部と、を備え、
前記一対の案内部は、互いの間で前記苗マットが移動する移動路を形成するために、横方向に離れて配置され、
前記移動路の横方向寸法は、下方側に向けて小さい、苗載装置。
【請求項２】
前記苗載部は、回転することで、接している前記苗マットを下方側に向けて移送する移送部を備え、
前記苗載部は、前記苗マットが前記移送部によって移送される移送領域と、前記移送領域よりも上方側に配置され、前記苗マットが自重によってスライドして移動するスライド領域と、を備え、
前記スライド領域における前記移動路の横方向寸法は、前記移送領域の下端部における前記移動路の横方向寸法よりも、大きい、請求項１に記載の苗載装置。
【請求項３】
前記苗載部は、回転することで、接している前記苗マットを下方側に向けて移送する移送部を備え、
前記移送部の下端部の位置における前記移動路の横方向寸法は、前記移送部の上端部の位置における前記移動路の横方向寸法よりも、小さい、請求項１又は２に記載の苗載装置。
【請求項４】
前記苗載部から突出し、側面が前記案内部を構成する突出部を備え、
前記突出部の横方向寸法は、下方側に向けて大きい、請求項１〜３の何れか１項に記載の苗載装置。
【請求項５】
前記一対の案内部のうち少なくとも一つは、前記移動路の横方向寸法を変更可能とすべく、前記苗載部に対して可動である、請求項１〜３の何れか１項に記載の苗載装置。
【請求項６】
請求項１〜５の何れか１項に記載の苗載装置と、
前記苗載部の下端部に位置する前記苗マットから一部の苗を掻き取って植え付ける植付部と、を備える、田植機。
【発明の詳細な説明】
【技術分野】
【０００１】
本発明は、苗マットが載せられる苗載部を備える苗載装置に関し、また、苗載装置を備える田植機に関する。
【背景技術】
【０００２】
従来、苗載装置として、苗マットが載せられる苗載部と、上下方向に沿って延び、横方向で離れて配置される案内部とを備える苗載装置が、知られている（例えば、特許文献１）。そして、苗マットは、苗載部の下方側に向けて移動し、苗載部よりも下方側に配置される植付部に供給される。
【０００３】
ところで、苗マットは、苗載部の下方側に向けて移動する際に、案内部に案内される。このとき、苗マットと案内部との間に摩擦が生じるため、苗マットが苗載部の途中で止まり、植付部に供給できないことがある。
【先行技術文献】
【特許文献】
【０００４】
【特許文献１】特開２００５−１１７９３７号公報
【発明の概要】
【発明が解決しようとする課題】
【０００５】
そこで、課題は、苗マットが案内部との間に生じる摩擦によって苗載部の途中で止まることを抑制することができる苗載装置及び田植機を提供することである。
【課題を解決するための手段】
【０００６】
苗載装置は、苗マットが載せられる苗載部と、前記苗載部の下方側に向けて移動する前記苗マットを案内するために、上下方向に沿って延びる一対の案内部と、を備え、前記一対の案内部は、互いの間で前記苗マットが移動する移動路を形成するために、横方向に離れて配置され、前記移動路の横方向寸法は、下方側に向けて小さい。
【０００７】
また、苗載装置においては、前記苗載部は、回転することで、接している前記苗マットを下方側に向けて移送する移送部を備え、前記苗載部は、前記苗マットが前記移送部によって移送される移送領域と、前記移送領域よりも上方側に配置され、前記苗マットが自重によってスライドして移動するスライド領域と、を備え、前記スライド領域における前記移動路の横方向寸法は、前記移送領域の下端部における前記移動路の横方向寸法よりも、大きい、という構成でもよい。
【０００８】
また、苗載装置においては、前記苗載部は、回転することで、接している前記苗マットを下方側に向けて移送する移送部を備え、前記移送部の下端部の位置における前記移動路の横方向寸法は、前記移送部の上端部の位置における前記移動路の横方向寸法よりも、小さい、という構成でもよい。
【０００９】
また、苗載装置においては、前記苗載部から突出し、側面が前記案内部を構成する突出部を備え、前記突出部の横方向寸法は、下方側に向けて大きい、という構成でもよい。
【００１０】
また、苗載装置においては、前記一対の案内部のうち少なくとも一つは、前記移動路の横方向寸法を変更可能とすべく、前記苗載部に対して可動である、という構成でもよい。
【００１１】
また、田植機は、前記の苗載装置と、前記苗載部の下端部に位置する前記苗マットから一部の苗を掻き取って植え付ける植付部と、を備える。
【発明の効果】
【００１２】
以上の如く、苗載装置及び田植機によれば、移動路の横方向寸法は、下方側に向けて小さくしているため、移動路の上方側においては、苗マットと案内部との間に摩擦が生じることを抑制することができる。これにより、苗マットが案内部との間に生じる摩擦によって苗載部の途中で止まることを抑制することができる。
【図面の簡単な説明】
【００１３】
【図１】図１は、一実施形態に係る田植機の全体左側面図である。
【図２】図２は、同実施形態に係る田植機の全体平面図である。
【図３】図３は、同実施形態に係る苗載装置の全体概要図である。
【図４】図４は、図３のIV領域拡大図である。
【図５】図５は、図３のＶ領域拡大図である。
【図６】図６は、図３のVI領域拡大図である。
【図７】図７は、図３のVII領域拡大図である。
【図８】図８は、図７のVIII−VIII線要部拡大断面図である。
【図９】図９は、他の実施形態に係る苗載装置の要部概要図である。
【図１０】図１０は、さらに他の実施形態に係る苗載装置の要部概要図である。
【図１１】図１１は、さらに他の実施形態に係る苗載装置の要部概要図である。
【図１２】図１２は、さらに他の実施形態に係る苗載装置の要部概要図である。
【図１３】図１３は、図１２のＸIII−ＸIII線拡大断面図である。
【図１４】図１４は、さらに他の実施形態に係る苗載装置の要部概要図である。
【図１５】図１５は、図１４のＸＶ−ＸＶ線拡大断面図である。
【発明を実施するための形態】
【００１４】
以下、苗載装置及び田植機における一実施形態について、図１〜図８を参照しながら説明する。なお、各図（図９〜図１５も同様）において、図面の寸法比と実際の寸法比とは、必ずしも一致しておらず、また、各図面の間での寸法比も、必ずしも一致していない。
【００１５】
図１及び図２に示すように、本実施形態に係る田植機１は、機体２と、機体２を支持する前車輪１ａ及び後車輪１ｂと、機体２に搭載される駆動源（エンジン）１ｃと、駆動源１ｃの駆動を各部に伝達する伝達部１ｄとを備えている。また、田植機１は、苗を植え付けるための苗植付装置３を機体２よりも後方に備えている。
【００１６】
そして、田植機１は、苗を植える際に、前方に向けて走行する。なお、図１及び図２（図３以降も同様）において、第１方向Ｄ１は、前後方向Ｄ１であって、第２方向Ｄ２は、横方向（左右方向）Ｄ２であって、第３方向Ｄ３は、上下方向Ｄ３である。第１方向Ｄ１のうち、矢印方向は、前方向であって、その反対方向は、後方向であり、第２方向Ｄ２のうち、矢印方向は、右方向であって、その反対方向は、左方向であり、そして、第３方向Ｄ３のうち、矢印方向は、上方向であって、その反対方向は、下方向である。
【００１７】
機体２は、操縦者が座るための座席２ａと、操縦者に操作される操作部２ｂと、予備の苗マットを載せるための予備載部２ｃとを備えている。例えば、操作部２ｂは、走行する方向を操作するための操縦ハンドルと、走行する速度を操作するための変速レバーと、苗植付装置３を操作するための作業レバーとを備えている。
【００１８】
苗植付装置３は、苗マットから一部の苗を掻き取って植え付ける植付部３ａと、植付部３ａに苗マットを供給するために、苗マットが載せられる苗載装置４とを備えている。なお、苗植付装置３は、機体２に回動可能に接続されているため、機体２に対して昇降動する。
【００１９】
植付部３ａは、苗載装置４よりも下方側に配置されている。そして、植付部３ａは、回転する植付爪を備えており、植付爪は、公転されることで、苗載装置４の下端部に位置する苗マットから一部の苗を掻き取って、田面に植え付ける。
【００２０】
図３に示すように、苗載装置４は、苗マットが載せられる複数の苗載部５と、苗載部５から突出し、上下方向Ｄ３に沿って延びる複数の突出部６と、苗載部５に載せられた苗マットを押さえる苗押さえ部７とを備えている。突出部６は、一つの苗載部５に対して一対備えられており、横方向Ｄ２に離れて配置されている。具体的には、突出部６は、苗載部５の横方向Ｄ２の両側にそれぞれ配置されている。
【００２１】
そして、苗マットは、苗載部５の突出部６，６間に載せられて、下方側に向けて移動する。したがって、苗マットが移動する移動路４ａは、一対の突出部６，６間で形成されている。なお、移動路４ａは、苗マットが自重によって下方側に向けて移動できるように、上下方向Ｄ３に沿って延びている。具体的には、移動路４ａは、上下方向Ｄ３に対して傾斜する方向に沿って延びている。
【００２２】
本実施形態においては、田植機１は、八条型である。具体的には、苗載部５が、横方向Ｄ２に８つ並列され、突出部６が、苗載部５の両側に配置されることで横方向Ｄ２に９つ並列され、これにより、苗マットの移動路４ａが８つ形成されている。なお、田植機１は、八条型に限られず、一〜七条型や九条型以上であってもよい。
【００２３】
なお、苗マットは、操縦者によって、苗載部５の上端側から苗載部５に導入される。そして、操縦者が、苗マットを下方側に押すことによって、苗マットは、少なくとも一部が苗押さえ部７に押さえられる位置まで、導入されている。その後、苗マットは、当該位置から、自重によって下方側に向けて移動することになる。したがって、苗押さえ部７が備えられている構成においては、苗マットの移動路４ａは、苗押さえ部７の上端から下方側の領域を指し、苗押さえ部７の上端よりも上方側の領域は、導入路４ｂという。
【００２４】
図４に示すように、苗載部５は、板状に形成される苗載板５１と、回転することで、接している苗マットを下方側に向けて移送する移送部５２とを備えている。なお、移送部５２は、苗載板５１に形成される開口５１ａの内部に配置されている。そして、移送部５２は、苗載部５の下方側に配置されている。
【００２５】
移送部５２は、伝達部１ｄ（図４においては、図示していない）が伝達する駆動によって、回転する駆動輪５２ａと、駆動輪５２ａに巻き掛けられて無端回転する環状の移送ベルト５２ｂと、移送ベルト５２ｂに巻き掛けられる従動輪５２ｃとを備えている。そして、移送ベルト５２ｂは、表面に、苗マットを引っ掛けるための複数の突起５２ｄを備えている。
【００２６】
これにより、移送ベルト５２ｂが回転することで、移送ベルト５２ｂに接している苗マットは、下方側に向けて移送される。したがって、移送部５２が配置されている領域においては、苗マットは、移送部５２から力を受けることによって移送される。なお、移送部５２が配置されている領域を、移送領域５ａという。
【００２７】
一方、移送部５２よりも上方側の領域においては、苗マットは、苗載装置４からの外力を受けることはない。したがって、苗マットは、自重によって、苗載板５１の上をスライドして、下方側に向けて移動する。なお、移送部５２よりも上方側の領域を、スライド領域５ｂという。
【００２８】
このように、苗載部５は、上方側にスライド領域５ｂを備え、下方側に移送領域５ａを備えている。なお、移送部５２は、斯かる構成に限られず、例えば、外周部に苗マットが接するように配置される回転体であって、回転体が回転することで、回転体に接している苗マットが下方側に向けて移送される、という構成でもよい。
【００２９】
突出部６は、剛性を有しており、下方側に向けて移動する苗マットを案内する案内材として機能する。具体的は、突出部６は、横方向Ｄ２を向く側面に、苗マットを案内する案内部６１を備えている。これにより、案内部６１は、上下方向Ｄ３に沿って延びている。なお、案内部６１は、平面状に形成されている。そして、移動路４ａは、横方向Ｄ２に離れて対面するように配置される一対の案内部６１，６１の間で、形成されている。
【００３０】
そして、突出部６は、苗載部５に不動に固定されている。これにより、案内部６１は、苗載部５に不動に固定されている。なお、突出部６が苗載部５から突出する量（高さ）は、特に限定されないが、例えば、２０ｍｍ以上であることが好ましく、また、例えば、４０ｍｍ以上であることがより好ましく、また、例えば、５０ｍｍ以上であることがさらに好ましい。これにより、突出部６は、移動路４ａを形成する仕切り材としても機能し、また、苗載部５を補強する補強材としても機能する。
【００３１】
苗押さえ部７は、苗マットを押さえるために、上下方向Ｄ３に沿って延びる複数の押さえ部７１と、複数の押さえ部７１の上端をそれぞれ連結する上連結部７２と、複数の押さえ部７１の下端をそれぞれ連結する下連結部７３とを備えている。なお、苗押さえ部７は、図示していない固定手段によって突出部６に固定されることで、苗載部５に対して固定されている。
【００３２】
押さえ部７１は、苗載部５よりも後方側に配置されており、苗載部５との間に苗マットを配置させている。そして、苗押さえ部７は、苗載部５に載せられた苗マットを前方側に向けて押さえている。なお、苗押さえ部７は、斯かる構成に限られず、例えば、上連結部７２を備えていない、という構成でもよく、また、下連結部７３を備えていない、という構成でもよい。
【００３３】
本実施形態に係る田植機１及び苗載装置４の構成については以上の通りであり、次に、本実施形態に係る苗載装置４の具体的な構成と作用効果とについて、図５〜図７を参照しながら説明する。
【００３４】
苗マットは、下方側に向けて移動する際に、苗載部５の途中で止まることがある。斯かる原因の一つとして、案内部６１が苗マットを案内する際に、苗マットと案内部６１との間に生じる摩擦が挙げられる。しかしながら、苗載部５の下端部において、植付部３ａに対して適切な位置となるように、苗マットを横方向Ｄ２の所望位置に位置させる必要があるため、苗マットを案内部６１で案内させる必要がある。
【００３５】
そこで、図５及び図６に示すように、突出部６の横方向Ｄ２の寸法（以下、「幅」ともいう）Ｗ１ａ〜Ｗ１ｃは、下方側に向けて、大きくなっている。本実施形態においては、突出部６は、幅Ｗ１ａが一定である上端部６ａと、幅Ｗ１ｂが下方側に向けて大きくなる中間部６ｂと、幅Ｗ１ｃが一定である下端部６ｃとを備えている。これにより、突出部６の幅Ｗ１ａ〜Ｗ１ｃは、下方側に向けて、断続的に大きくなっている。
【００３６】
なお、上端部６ａの下端と中間部６ｂの上端、即ち、上端部６ａと中間部６ｂとの境界Ｐ１は、導入路４ｂにおける上下方向Ｄ３の中途位置である。また、中間部６ｂの下端と下端部６ｃの上端、即ち、中間部６ｂと下端部６ｃとの境界Ｐ２は、移動路４ａにおける上下方向Ｄ３の中途位置であり、具体的には、移送領域５ａにおける上下方向Ｄ３の中途位置である。そして、突出部６の中間部６ｂの幅Ｗ１ｂは、段差を有することなく、下方側に向けて連続的に大きくなっている。
【００３７】
したがって、導入路４ｂが、突出部６の側面に配置される案内部６１，６１間で形成されているため、導入路４ｂの横方向Ｄ２の寸法（以下、「幅」ともいう）Ｗ３ａ，Ｗ３ｂは、下方側に向けて、小さくなっている。具体的には、上端部６ａ，６ａの案内部６１，６１間で形成される導入路４ｂの幅Ｗ３ａは、一定であり、中間部６ｂ，６ｂの案内部６１，６１間で形成される導入路４ｂの幅Ｗ３ｂは、下方側に向けて、小さくなっている。
【００３８】
同様に、移動路４ａが、突出部６，６の側面に配置される案内部６１，６１間で形成されているため、移動路４ａの横方向Ｄ２の寸法（以下、「幅」ともいう）Ｗ２ａ〜Ｗ２ｃは、下方側に向けて、小さくなっている。具体的には、中間部６ｂ，６ｂの案内部６１，６１間で形成される移動路４ａの幅Ｗ２ａ，Ｗ２ｂは、下方側に向けて、小さくなっており、下端部６ｃ，６ｃの案内部６１，６１間で形成される移動路４ａの幅Ｗ２ｃは、一定である。
【００３９】
ところで、移送領域５ａでは、苗マットは、移送部５２から力を受けることによって移送されるため、苗載部５の途中で止まり難い。それに対して、スライド領域５ｂでは、苗マットは、苗載装置４からの外力を受けることはなく、自重によって移動するため、苗載せ部５の途中で止まり易い。
【００４０】
そこで、スライド領域５ｂにおける移動路４ａの幅Ｗ２ａは、移送領域５ａにおける移動路４ａの幅Ｗ２ｂ，Ｗ２ｃよりも、大きくなっている。これにより、スライド領域５ｂにおいて、苗マットが案内部６１と接することを抑制することができる。また、苗マットが案内部６１と接していても、苗マットと案内部６１との間に生じる摩擦力が大きくなることを抑制することができる。したがって、スライド領域５ｂにおいて、苗マットが苗載部５の途中で止まることを抑制することができる。
【００４１】
また一方で、苗載部５の下端部において、苗マットを横方向Ｄ２の所望位置に位置させる必要がある。ところで、移送領域５ａにおいては、苗マットが移送部５２から力を受けるため、苗マットと案内部６１との間に摩擦が生じたとしても、苗マットが苗載部５の途中で止まることなく移送部５２によって移送され得る。
【００４２】
そこで、移送部５２の下端部の位置における移動路４ａの幅Ｗ２ｃは、移送部５２の上端部の位置における移動路４ａの幅Ｗ２ｂよりも、小さくなっている。これにより、苗マットが移送部５２によって移送される際に、案内部６１が苗マットを所望位置まで案内する。したがって、移送部５２の下端部、即ち、苗載部５の下端部において、苗マットを横方向Ｄ２の所望位置に位置させることができる。
【００４３】
このように、苗マットが苗載部５の途中で止まることを抑制することができると共に、苗載部５の下端部において、苗マットを横方向Ｄ２の所望位置に位置させることができる。したがって、植付部３ａ（図５及び図６においては、図示していない）に対して、連続的に且つ適正な位置に苗マットを供給できるため、苗の植付作業を安定して行うことができる。
【００４４】
ところで、苗マットが苗載部５の途中で止まる原因として、他にも挙げられる。例えば、他の原因の一つとして、苗マットが苗載板５１上をスライドする際に、苗マットと苗載板５１との間に生じる摩擦が挙げられる。
【００４５】
そこで、図７及び図８に示すように、苗載板５１は、平板に形成される板本体部５１ｂと、板本体部５１ｂから突出し、上下方向Ｄ３に沿って延びる複数の凸条部５１ｃとを備えている。そして、複数の凸条部５１ｃは、横方向Ｄ２に並列されている。なお、凸条部５１ｃが板本体部５１ｂから突出する量（高さ）Ｗ４ａ，Ｗ４ｂは、突出部６が苗載部５から突出する量（高さ）より小さい量であれば、特に限定されないが、例えば、２ｍｍ〜７ｍｍであることが好ましい。
【００４６】
斯かる構成によれば、苗マットは、苗載部５に載せられた際に、複数の凸条部５１ｃに跨ることになる。これにより、苗マットが板本体部５１ｂに接することを抑制することができるため、苗マットが苗載板５１と接触する面積を小さくすることができる。したがって、苗マットと苗載板５１との間に生じる摩擦力を小さくすることができる。
【００４７】
しかも、スライド領域５ｂにおける、凸条部５１ｃが板本体部５１ｂから突出する量Ｗ４ａは、移送領域５ａにおける、当該量Ｗ４ｂよりも、大きくなっている。したがって、スライド領域５ｂにおいて、苗マットと苗載板５１との間に生じる摩擦力をさらに小さくすることができている。
【００４８】
図８においては、板本体部５１ｂの厚みは、一定であるため、凸条部５１ｃの頂部の稜線は、スライド領域５ｂと移送領域５ａとの境界付近で、曲線になる、という構成である。なお、斯かる構成に限られず、例えば、スライド領域５ｂにおける板本体部５１ｂの厚みが、移送領域５ａにおける板本体部５１ｂの厚みよりも、薄く形成されることで、凸条部５１ｃの頂部の稜線は、上下方向Ｄ３の全長に亘って、直線になる、という構成でもよい。
【００４９】
以上より、本実施形態に係る苗載装置４は、苗マットが載せられる苗載部５と、前記苗載部５の下方側に向けて移動する前記苗マットを案内するために、上下方向Ｄ３に沿って延びる一対の案内部６１，６１と、を備え、前記一対の案内部６１，６１は、互いの間で前記苗マットが移動する移動路４ａを形成するために、横方向Ｄ２に離れて配置され、前記移動路４ａの横方向寸法Ｗ２ａ〜Ｗ２ｃは、下方側に向けて小さい。
【００５０】
そして、本実施形態に係る田植機１は、前記苗載装置４と、前記苗載部５の下端部に位置する前記苗マットから一部の苗を掻き取って植え付ける植付部３ａと、を備える。
【００５１】
斯かる構成によれば、上下方向Ｄ３に沿って延びる一対の案内部６１，６１が、横方向Ｄ２に離れて配置されているため、苗マットは、苗載部５の下方側に向けて移動する際に、一対の案内部６１，６１によって案内される。そして、苗マットが移動する移動路４ａは、一対の案内部６１，６１間で形成される。
【００５２】
そこで、移動路４ａの横方向寸法Ｗ２ａ〜Ｗ２ｃは、下方側に向けて小さくしている。これにより、移動路４ａの上方側においては、苗マットと案内部６１との間に摩擦が生じることを抑制することができるため、苗マットが案内部６１との間に生じる摩擦によって苗載部５の途中で止まることを抑制することができる。
【００５３】
また、本実施形態に係る苗載装置４においては、前記苗載部５は、回転することで、接している前記苗マットを下方側に向けて移送する移送部５２を備え、前記苗載部５は、前記苗マットが前記移送部５２によって移送される移送領域５ａと、前記移送領域５ａよりも上方側に配置され、前記苗マットが自重によってスライドして移動するスライド領域５ｂと、を備え、前記スライド領域５ｂにおける前記移動路４ａの横方向寸法Ｗ２ａは、前記移送領域５ａの下端部における前記移動路４ａの横方向寸法Ｗ２ｃよりも、大きい、という構成である。
【００５４】
斯かる構成によれば、移送領域５ａにおいては、苗マットが移送部５２に接しているため、移送部５２が回転することで、苗マットは、下方側に向けて移送される。一方、移送領域５ａの上方側に配置されるスライド領域５ｂにおいては、苗マットは、自重によって、スライドして移動する。これにより、移送領域５ａにおいては、苗マットが苗載部５の途中で止まり難く、スライド領域５ｂにおいては、苗マットが苗載部５の途中で止まり易い。
【００５５】
そこで、スライド領域５ｂにおける移動路４ａの横方向寸法Ｗ２ａは、移送領域５ａの下端部における移動路４ａの横方向寸法Ｗ２ｃよりも、大きくしている。これにより、スライド領域５ｂにおいて、苗マットと案内部６１との間に摩擦が生じることを抑制することができる。
【００５６】
また、本実施形態に係る苗載装置４においては、前記苗載部５は、回転することで、接している前記苗マットを下方側に向けて移送する移送部５２を備え、前記移送部５２の下端部の位置における前記移動路４ａの横方向寸法Ｗ２ｃは、前記移送部５２の上端部の位置における前記移動路４ａの横方向寸法Ｗ２ｂよりも、小さい、という構成である。
【００５７】
斯かる構成によれば、移送部５２は、回転することで、接している苗マットを下方側に向けて移送する。そこで、移送部５２の下端部の位置における移動路４ａの横方向寸法Ｗ２ｃは、移送部５２の上端部の位置における移動路４ａの横方向寸法Ｗ２ｂよりも、小さくしている。これにより、苗マットと案内部６１との間に摩擦が生じたとしても、苗マットが苗載部５の途中で止まることなく移送部５２によって移送されるため、苗マットを、移送部５２の下端部における横方向Ｄ２の所望位置まで案内することができる。
【００５８】
また、本実施形態に係る苗載装置４においては、前記苗載部５から突出し、側面が前記案内部６１を構成する突出部６を備え、前記突出部６の横方向寸法Ｗ１ａ〜Ｗ１ｃは、下方側に向けて大きい、という構成でもよい。
【００５９】
斯かる構成によれば、案内部６１は、苗載部５から突出する突出部６の側面で構成されている。そして、突出部６の横方向寸法Ｗ１ａ〜Ｗ１ｃが、下方側に向けて大きいため、上方側における移動路４ａの横方向寸法Ｗ２ａ〜Ｗ２ｃは、下方側に向けて、小さくなる。
【００６０】
なお、田植機１及び苗載装置４は、上記した実施形態の構成に限定されるものではなく、また、上記した作用効果に限定されるものではない。また、田植機１及び苗載装置４は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６１】
（１）上記実施形態に係る苗載装置４においては、苗載部５の両側に配置される突出部６のうち、両方の突出部６の横方向寸法Ｗ１ａ〜Ｗ１ｃが、下方側に向けて、大きくなっている、という構成である。しかしながら、苗載装置４は、斯かる構成に限られない。例えば、図９に示すように、苗載部５の両側に配置される突出部６のうち、一方の突出部６の横方向寸法Ｗ１ｄが、下方側に向けて、大きくなっている、という構成でもよい。
【００６２】
図９においては、一方側（図９における左側）の突出部６の横方向寸法Ｗ１ｄは、下方側に向けて大きくなっている一方で、他方側（図９における右側）の突出部６の横方向寸法Ｗ１ｅは、上下方向Ｄ３に亘って、一定である。これにより、移動路４ａの横方向寸法Ｗ２ｄが下方側に向けて小さくなっている。
【００６３】
（２）また、上記実施形態に係る苗載装置４においては、案内部６１は、苗載部５に不動に固定されている、という構成である。しかしながら、苗載装置４は、斯かる構成に限られない。例えば、図１０及び図１１に示すように、一対の案内部６１，６１のうち少なくとも一つ（図１０及び図１１においては、両方）は、移動路４ａの横方向寸法Ｗ２ｅ，Ｗ２ｆを変更可能とすべく、苗載部５に対して可動である、という構成でもよい。
【００６４】
斯かる構成によれば、一対の案内部６１，６１のうち少なくとも一つ（図１０及び図１１においては、両方）が、苗載部５に対して可動であるため、移動路４ａの横方向寸法Ｗ２ｅ，Ｗ２ｆを変更することができる。これにより、例えば、移動路４ａの横方向寸法Ｗ２ｅ，Ｗ２ｆを下方側に向けて小さい形態と、全長に亘って一定である形態とに切り替えることができる。また、例えば、移動路４ａの横方向寸法Ｗ２ｅ，Ｗ２ｆを、苗マットの寸法等に対応して調整することができる。
【００６５】
（２−１）図１０に係る突出部６は、上下方向Ｄ３に並列される複数（図１０においては、三つ）の突出片６２を備えている。そして、複数の突出片６２は、個別に移動可能なように、苗載部５にそれぞれ接続されている。
【００６６】
これにより、突出片６２が、苗載部５に対して移動することに伴って、突出片６２の側面の案内部６１も、苗載部５に対して移動するため、移動路４ａの横方向寸法Ｗ２ｅを変更することができる。なお、突出片６２は、図示していない固定手段により、苗載部５に固定される状態と当該固定を解除する状態とに切り替えられる。
【００６７】
突出部６は、突出片６２，６２を連結する連結片６３を備えている。そして、突出片６２は、剛性を有しており、連結片６３は、弾性を有している。例えば、突出片６２は、硬質樹脂で形成されており、連結片６３は、ゴムで形成されている。これにより、突出片６２が苗載部５に対して個別に移動しても、連結片６３が突出片６２，６２間の隙間を閉鎖している。したがって、苗マットが突出片６２の上端部に引っ掛かることを抑制することができる。なお、連結片６３も、案内部６１の一部を構成している。
【００６８】
図１０に係る突出片６２は、苗載部５に対して横方向Ｄ２に沿って移動する、という構成である。なお、突出片６２は、斯かる構成に限られず、例えば、上端部、下端部、又は中間部で、苗載部５に回動可能に接続されている、という構成でもよい。
【００６９】
（２−２）図１１に係る突出部６（案内部６１）は、下端部で、苗載部５に回動可能に接続されている。そして、突出部６（案内部６１）が下端部を軸にして回動することで、移動路４ａの横方向寸法Ｗ２ｆを変更することができる。なお、突出部６（案内部６１）は、図示していない固定手段により、苗載部５に固定される状態と当該固定を解除する状態とを切り替えられる。
【００７０】
また、突出部６（案内部６１）が苗載部５に接続される位置が、下端部であるため、案内部６１，６１の下端部における、移動路４ａの横方向寸法Ｗ２ｆ及び位置が一定となる。これにより、案内部６１の下端部、即ち、苗載部５の下端部において、苗マットを横方向Ｄ２の所望位置に位置させることができる。なお、突出部６は、斯かる構成に限られず、例えば、突出部６（案内部６１）が苗載部５に接続される位置は、中間部である、という構成でもよく、また、上端部である、という構成でもよい。
【００７１】
（３）また、上記実施形態に係る苗載装置４においては、移動路４ａの横方向寸法Ｗ２ａ〜Ｗ２ｃは、下方側に向けて、断続的に小さくなっている、という構成である。しかしながら、苗載装置４は、斯かる構成に限られない。例えば、図１１に示すように、移動路４ａの横方向寸法Ｗ２ｆは、上下方向Ｄ３の全長に亘って、下方側に向けて連続的に小さくなっている、という構成でもよい。
【００７２】
（４）また、上記実施形態に係る苗載装置４においては、突出部６の横方向寸法Ｗ１ａ〜Ｗ１ｃは、下方側に向けて、断続的に大きくなっている、という構成である。しかしながら、苗載装置４は、斯かる構成に限られない。例えば、突出部６の横方向寸法は、上下方向Ｄ３の全長に亘って、下方側に向けて連続的に大きくなっている、という構成でもよい。
【００７３】
（５）また、上記実施形態に係る苗載装置４においては、苗載部５は、移送部５２を備えることで、移送領域５ａとスライド領域５ｂとを備えている、という構成である。しかしながら、苗載装置４は、斯かる構成に限られない。例えば、苗載部５は、移送部５２を備えておらず、上下方向Ｄ３の全長に亘って、スライド領域５ｂである、という構成でもよく、また、移送部５２が上下方向Ｄ３の全長に亘って配置されており、上下方向Ｄ３の全長に亘って、移送領域５ａである、という構成でもよい。
【００７４】
（６）また、上記実施形態に係る苗載装置４においては、突出部６は、一つの部材によって、構成されている、という構成である。しかしながら、苗載装置４は、斯かる構成に限られない。例えば、図１２及び図１３に示すように、突出部６は、複数の部材６ｄ，６ｅによって、構成されている、という構成でもよい。
【００７５】
図１２及び図１３に係る突出部６は、苗載部５から突出するように苗載部５に固定される突出部本体６ｄと、突出部本体６ｄを覆うようにして、突出部本体６ｄに固定されるカバー体６ｅとを備えている。なお、カバー体６ｅは、突出部本体６ｄに着脱可能であってもよく、突出部本体６ｄに着脱不能であってもよい。また、突出部６は、三つ以上の部材によって、構成されている、という構成でもよい。
【００７６】
案内部６１は、カバー体６ｅの側面によって、構成されている。そして、突出部６の幅Ｗ１ｆが、下方側に向けて大きくなっているため、案内部６１，６１間で形成される移動路４ａの幅Ｗ２ｇは、下方側に向けて、小さくなっている。図１２及び図１３に係る突出部６においては、突出部本体６ｄの幅Ｗ１ｇは、上下方向Ｄ３に亘って、一定であることに対して、カバー体６ｅの厚みＷ１ｈは、下方側に向けて、大きくなっている。
【００７７】
なお、例えば、カバー体６ｅの厚みＷ１ｈは、上下方向Ｄ３に亘って、一定であることに対して、突出部本体６ｄの幅Ｗ１ｇは、下方側に向けて、大きくなっている、という構成でもよい。また、例えば、突出部本体６ｄの幅Ｗ１ｇ及びカバー体６ｅの厚みＷ１ｈは、上下方向Ｄ３において、それぞれ変化している、という構成でもよい。
【００７８】
（７）また、上記実施形態に係る苗載装置４においては、案内部６１は、平面状に形成されている、という構成である。しかしながら、苗載装置４は、斯かる構成に限られない。例えば、図１４及び図１５に示すように、案内部６１は、凹凸状に形成されている、という構成でもよい。斯かる構成によれば、案内部６１が苗マットを案内する際に、苗マットと案内部６１との間に生じる摩擦を小さくすることができる。
【００７９】
図１４及び図１５に係る突出部６は、苗載部５から突出するように苗載部５に固定される突出部本体６ｆと、突出部本体６ｆの側方から突出する複数の突起６ｇとを備えている。なお、図１５に係る突出部６においては、突起６ｇは、突出部本体６ｆの側方にそれぞれ三つずつ設けられている、という構成であるが、斯かる構成に限られない。例えば、突起６ｇは、突出部本体６ｆの側方に一つ、二つ、又は四つ以上設けられている、という構成でもよい。
【００８０】
突出部６の幅Ｗ１ｉは、突出部本体６ｆから一方側に向けて突出する突起６ｇの先端部から、突出部本体６ｆから他方側に向けて突出する突起６ｇの先端部までの距離となる。また、案内部６１，６１間で形成される移動路４ａの幅Ｗ２ｈは、一方側の突出部６の突起６ｇの先端部から、他方側の突出部６の突起６ｇの先端部までの距離となる。
【００８１】
そして、突出部６の幅Ｗ１ｉが、下方側に向けて大きくなっているため、移動路４ａの幅Ｗ２ｈは、下方側に向けて、小さくなっている。図１４及び図１５に係る突出部６においては、突出部本体６ｆの幅Ｗ１ｊは、上下方向Ｄ３に亘って、一定であることに対して、突起６ｇが突出部本体６ｆから突出する量（突起６ｇの突出量）Ｗ１ｋは、下方側に向けて、大きくなっている。
【００８２】
なお、例えば、突起６ｇの突出量Ｗ１ｋは、上下方向Ｄ３に亘って、一定であることに対して、突出部本体６ｆの幅Ｗ１ｊは、下方側に向けて、大きくなっている、という構成でもよい。また、例えば、突出部本体６ｆの幅Ｗ１ｊ及び突起６ｇの突出量Ｗ１ｋは、上下方向Ｄ３において、それぞれ変化している、という構成でもよい。
【符号の説明】
【００８３】
１…田植機、１ａ…前車輪、１ｂ…後車輪、１ｃ…駆動源、１ｄ…伝達部、２…機体、２ａ…座席、２ｂ…操作部、２ｃ…予備載部、３…苗植付装置、３ａ…植付部、４…苗載装置、４ａ…移動路、４ｂ…導入路、５…苗載部、５ａ…移送領域、５ｂ…スライド領域、６…突出部、６ａ…上端部、６ｂ…中間部、６ｃ…下端部、６ｄ…突出部本体、６ｅ…カバー体、６ｆ…突出部本体、６ｇ…突起、７…苗押さえ部、５１…苗載板、５１ａ…開口、５１ｂ…板本体部、５１ｃ…凸条部、５２…移送部、５２ａ…駆動輪、５２ｂ…移送ベルト、５２ｃ…従動輪、５２ｄ…突起、６１…案内部、６２…突出片、６３…連結片、７１…押さえ部、７２…上連結部、７３…下連結部、Ｄ１…前後方向、Ｄ２…横方向、Ｄ３…上下方向
【図１】
2019083718.tif 000003
【図２】
2019083718.tif 000004
【図３】
2019083718.tif 000005
【図４】
2019083718.tif 000006
【図５】
2019083718.tif 000007
【図６】
2019083718.tif 000008
【図７】
2019083718.tif 000009
【図８】
2019083718.tif 000010
【図９】
2019083718.tif 000011
【図１０】
2019083718.tif 000012
【図１１】
2019083718.tif 000013
【図１２】
2019083718.tif 000014
【図１３】
2019083718.tif 000015
【図１４】
2019083718.tif 000016
【図１５】
2019083718.tif 000017